(57)【特許請求の範囲】
【請求項１】
遮断器本体をクレードルに搭載して閉鎖形配電盤の盤内に収容した引出形の真空遮断器であり、遮断器本体の台車上に操作機構を装備した操作部，および真空バルブを載置し、前記操作部の前面に投入，引外し操作端を備えたものにおいて、
配電盤の扉を閉じた状態で、盤外からのハンドル操作により真空遮断器をその運転位置で引外す操作手段として、操作入力端を遮断器本体の台車底面に臨ませて前記操作機構のトリップレバーに連繋させた中継リンク機構を追加装備するとともに、該中継リンク機構の操作入力端に対向してクレードルの底部側には、盤外からから差し込んだ引外し操作ハンドルの操作力を前記中継リンク機構に伝える引外し操作伝達機構を備えたことを特徴とする真空遮断器。
【請求項２】
請求項１記載の真空遮断器において、引外し操作伝達機構が、引外し操作ハンドルと繋ぐ継手部をクレードルの底部前端に臨ませて配置した回転軸と、該軸の回転に連動して遮断器本体に備えた前記中継リンク機構の操作入力端に向けて出没する操作ロッドとからなることを特徴とする真空遮断器。
【請求項３】
請求項２記載の真空遮断器において、クレードルの底部に配備した引外し操作伝達機構の回転軸，および配電盤の盤外から前記回転軸に連結する引外し操作ハンドルの差し込み位置を、配電盤の扉から外れた前面パネル部に設定したことを特徴とする真空遮断器。
【発明の詳細な説明】
【技術分野】
【０００１】
本発明は、クレードルに搭載して閉鎖形配電盤の盤内に収納した引出形の真空遮断器に関し、詳しくは配電盤の扉を閉じた状態で盤外からのハンドル操作で真空遮断器を開極するようにした引外し操作機構に係わる。
【背景技術】
【０００２】
頭記の真空遮断器として、遮断器本体をクレードルに搭載して閉鎖形配電盤（スイッチギア）の盤内に収容し、遮断器本体は台車上に操作機構を装備した操作部，および真空バルブを載置した上で、その操作部の前面に投入，引外し操作端（押ボタン，ハンドルなど）を備えた構成になる引出形の真空遮断器が周知であり（例えば、特許文献１参照）、その従来構造を図４，図５に示す。
図４，図５において、１は真空遮断器、２は真空遮断器１を載置したクレードル、３は配電盤、３ａは盤扉である。ここで真空遮断器１の遮断器本体は、台車１１に操作部１２，真空バルブ１３を載置し、台車１１をクレードル２に搭載してその底部のレール２１に沿って図示の運転位置から前方へ引出し可能に案内支持している。また、操作部１２の前面パネルには引外し操作ボタン１４，投入操作ボタン１５を備えており、さらに真空バルブ１３の固定，可動接極子に接続した回路導体１３ａ，１３ｂを背後に引出し、各導体の先端に備えた断路刃１３ｃを介してクレードル２の後部に配した主回路導体２２に接続するようにしている。
【０００３】
また、前記操作部１２に装備した操作機構は、遮断スプリング１２ａ，開閉レバー１２ｂ，該レバーと真空バルブ１３の可動接極子との間を連結した操作ロッド１２ｃ，接触バネ１２ｄ，開閉レバー１２ｂのローラ１２ｅに係止したラッチ１２ｆ，該ラッチ１２ｆと連動するトリップレバー１２ｇからなり、このトリップレバー１２ｇが図示されてないリンクを介して引外し操作ボタン１４に連繋されている。なお、図示は真空遮断器の運転位置で、操作機構の遮断スプリング１２ａを蓄勢して真空バルブ１３を閉極した投入状態を表している。
この状態で、配電盤３の扉３ａを開いて真空遮断器１の引外し操作ボタン１４を押すと、トリップレバー１２ｇを介してラッチ１２ｆが反時計方向に回動し、ローラ１２ｅから外れ開閉レバー１２ｂの鎖錠を釈放する。これにより、遮断スプリング１２ａのバネ力が放勢し、開閉レバー１２ｂを介して真空バルブ１３の可動接極子を開極する。
【０００４】
なお、真空遮断器を投入するには、遮断器付属の電動機により開閉レバー１２ｂの軸を反時計方向に回して該レバーに連結した遮断スプリング１２ａを蓄勢した上で、投入操作ボタン１５を押す。これによりラッチ１２ｅが開閉レバー１２ｂを鎖錠位置に係止して真空バルブ１３が閉極位置に拘束保持される。
【特許文献１】特開平５−２６６７６６号公報
【発明の開示】
【発明が解決しようとする課題】
【０００５】
ところで、前記した従来の真空遮断器では操作機能，保安面で次記のような問題点ある。すなわち、真空遮断器を主回路に接続した通電状態で、遮断器の操作電源喪失などの異常事態が生じて遮断器を手動で引外す場合には、配電盤３の扉３を開いた上で保守員が前方から引外し操作ボタン１４を押すようにしている。このために、作業中に遮断室内でアーク事故が万一発生した場合には、配電盤の扉が開放しているために、思わぬ人的，物的災害を招くおそれがある。
本発明は上記の点に鑑みなされたものであり、前記したような盤内でのアーク事故による人的災害を防ぎ、また操作電源の喪失状態でも配電盤の扉を開かずに盤外からのハンドル操作で遮断器を安全に開極させる引外し操作機構を追加装備して操作機能，保安性の向上を図った真空遮断器を提供することを目的とする。
【課題を解決するための手段】
【０００６】
上記目的を達成するために、本発明によれば、遮断器本体をクレードルに搭載して閉鎖形配電盤の盤内に収容した引出形の真空遮断器で、遮断器本体の台車上に操作機構を装備した操作部，および真空バルブを載置し、前記操作部の前面に投入，引外し操作端を備えた構成において、
配電盤の扉を閉じた状態で、盤外からのハンドル操作により真空遮断器をその運転位置で引外す操作手段として、遮断器本体の台車側に操作入力端を台車の底面に臨ませて前記操作機構のトリップレバーに連繋させた中継リンク機構を追加装備するとともに、該中継リンク機構の操作入力端に対向してクレードルの底部側には、盤外の前方からから差し込んだ引外し操作ハンドルの操作力を前記中継リンク機構に伝える引外し操作伝達機構を備えるものとし（請求項１）、その引外し操作伝達機構は具体的に次記のような態様で構成する。
（１）前記の引外し操作伝達機構が、引外し操作ハンドルと繋ぐ継手部をクレードルの底部前端に臨ませて配置した回転軸と、該軸の回転に連動して遮断器本体の台車側に備えた中継リンク機構の操作入力端に向けて出没する操作ロッドとから構成する（請求項２）。
（２）クレードルの底部に配備したの回転軸，および配電盤の盤外から前記回転軸に連結する引外し操作ハンドルの差し込み位置を、配電盤の扉から外れた前面パネル部に設定する（請求項３）。
【発明の効果】
【０００７】
上記の構成によれば、配電盤の扉を開放することなく、盤外からのハンドル操作で真空遮断器を引外し操作すること可能となり、例えば遮断器の操作電源が喪失した異常事態でも、保守員の安全性を確保して遮断器を手動で盤外から引外すことができる。
しかも、クレードルの底部側に設けた引外し操作伝達機構を回転式とし、その操作ハンドルを配電盤の扉から外れた前面パネル部の位置から差し込んで回動操作するようにしたことで、配電盤の扉を閉じたままでも誤操作のおそれなしに遮断器の引外し操作が行えて信頼性を確保できる。
【発明を実施するための最良の形態】
【０００８】
以下、本発明の実施の形態を図１〜図３に示す実施例に基づいて説明する。なお、実施例の図中で図４，図５に対応する部材には同じ符号を付してその説明は省略する。
すなわち、図示実施例の真空遮断器においては、図４，図５に示した従来構造に加えて、遮断器本体の操作部１２には、トリップレバー１２ｇに連繋させてその操作入力端を台車１１の底面側に臨ませて配置した中継リンク機構１２ｈを追加装備するとともに、該中継リンク機構１２ｈの操作入力端に対向してクレードル２の底部側には引外し操作伝達機構４を設け、この操作伝達機構４を介して配電盤３の盤外前方から差し込んで回す引外し操作ハンドル５の操作力を中継リンク機構１２ｈに伝えるようにしている。
ここで、前記の中継リンク機構１２ｈは、図３で示すように台車１１の底面側に臨ませて枢支したレバー（操作入力端）１２ｈ−１と、先端をトリップレバー１２ｇに押し当ててスライド可能にガイド金具１２ｈ−３の長穴で案内支持したプッシャ１２ｈ−２と、前記レバー１２ｈ−１の枢軸とプッシャ１２ｈ−２との間を結ぶ連結リンク１２ｈ−４とからなる。
【０００９】
一方、クレードル２の底部側に構築した引外し操作伝達機構４は、引外し操作ハンドル５と繋ぐ継手部をクレードル２の底部前端面に臨ませて前後の向きに軸支配置した回転軸４１と、図２で示すように前記回転４１の軸上にレバー介して連結し、回転軸４１の回転に従動してクレードル２の底面から中継リンク機構１２ｈのレバー（操作入力端）１２ｈ−１に向けて出没するよう上下スライド可能に案内支持されたロッド４２からなる。なお、ロッド４２の取付け位置は、図１のように真空遮断器１の運転位置で前記レバー１２ｈ−１と上下に対峙するように位置決めされている。また、回転軸４１の先端継手部は、配電盤３に対してその盤扉３ａから外れた下方側の前面パネル部に臨むように配置されており、この前面パネル部にハンドル穴を開口して配電盤３の前方から差し込んだ引外し操作ハンドル５と結合するようにしている。
【００１０】
上記の構成で、真空遮断器１を手動で引外し操作する場合には、図４で述べたと方法と同様に配電盤３の盤扉３を開いた上で、遮断器本体の操作部前面に設けた引外し操作ボタン１４を押して引外す方法のほか、操作電源が喪失した場合などの異常事態の下で遮断器を引外すには、次記のように配電盤の盤扉３を閉じたまま盤外からのハンドル操作で引外す方法を選択できる。
すなわち、盤外から引外し操作ハンドル５を差し込んで引外し装置操作伝達機構４の回転軸４１に連結した上でハンドル５を回すと、前記ロッド４２がクレードル２の底部から上方に突き出して遮断器本体の台車１１側に設けた中継リンク機構１２ｈ（図３参照）のレバー１２ｈ−１を上方に突き上げる。これにより、連結リンク１２ｈ−４を介してプッシャ１２ｈ−２が操作機構のトリップレバー１２ｇを右方に押し、これに応動するラッチ１２ｅが開閉レバー１２ｂの鎖錠を釈放して真空バルブ１３を開極する。
【００１１】
このように、配電盤３の盤扉３ａを閉じたまま盤外からのハンドル操作で真空遮断器１を引外すことにより、盤内の遮断室内でアーク事故が発生した場合でも、保守員の人的災害を未然に防いでスイッチギアの安全性を確保できる。
【図面の簡単な説明】
【００１２】
【図１】クレードルに搭載して配電盤に収納した本発明の実施例による真空遮断器の構造を示す側面図
【図２】図１の正面図
【図３】図１における真空遮断器本体の拡大図
【図４】クレードルに搭載して配電盤に収納した真空遮断器の従来構造を示す側面図
【図５】図４の正面図
【符号の説明】
【００１３】
１    真空遮断器
１１  台車
１２  操作部
１２ａ  遮断器スプリング
１２ｂ  開閉レバー
１２ｆ  ラッチ
１２ｇ  トリップレバー
１２ｈ  中継リンク機構
１２ｈ−１  レバー（操作入力端）
１３  真空バルブ
１４  引外し操作ボタン
２    クレードル
２１  底部のレール
３    配電盤
３ａ  盤扉
４    引外し操作伝達機構
４１  回転軸
４２  ロッド
５    引外し操作ハンドル
【図１】
0004561578.tif 000002
【図２】
0004561578.tif 000003
【図３】
0004561578.tif 000004
【図４】
0004561578.tif 000005
【図５】
0004561578.tif 000006